(57)【要約】【課題】本発明は、スイッチ手段の接続・開放状態におけるコイル電流のリップルを減少できる無接触給電設備の２次側受電回路を提供することを目的とする。【解決手段】全波整流回路１４の出力端間を接続または開放状態とするスイッチ手段１８を設け、このスイッチ手段１８を駆動するコントローラ３１は、スイッチング周波数を正確に２ｆとし、駆動パルスＰ２のオンタイミングを、チョークコイル１５の入力電圧Ｖ１がピークから下降に転じた位置とし、駆動パルスＰ２のパルス幅の中間点を全波の入力電圧Ｖ１のゼロクロス位置とする。これにより、駆動パルスＰ２がオンとなりチョークコイル１５が励磁されるとき、共振回路によってチョークコイル１５へ供給される電流は略ゼロに近く、かつこの後入力電圧Ｖ１は下降しゼロクロス範囲を含むことにより、チョークコイル１５に流れるコイル電流Ｉ１の上昇は抑えられ、脈動が少なくなりリップルが抑えられる。【選択図】図１
2010154696.tif 000002
【特許請求の範囲】
【請求項１】
高周波電流を流す１次側誘導線路に対向して前記誘導線路より起電力が誘起されるピックアップコイルと、
前記ピックアップコイルに並列に接続され、このピックアップコイルと前記高周波電流の周波数に共振する共振回路を形成する共振コンデンサと、
前記共振回路の共振コンデンサに並列に接続される全波整流回路と、
前記全波整流回路の一方の出力端子に、一端が接続されるチョークコイルと、
前記チョークコイルの他端に、アノードが接続されるダイオードと、
前記ダイオードのカソードと前記全波整流回路の他方の出力端子との間に接続され、消費電力が変動する負荷に電力を供給する出力コンデンサと、
前記チョークコイルの他端と前記全波整流回路の他方の出力端子との間に接続されるスイッチと、
前記スイッチを接続状態または開放状態とするコントローラと
を備え、
前記コントローラは、
前記全波整流回路の一方の出力端子から出力される全波の電圧信号に同期して、前記高周波電流の周波数の２倍の周波数の同期パルスを出力するパルス発生回路と、
前記スイッチヘ駆動パルスを出力し、この駆動パルスがオンのときにスイッチを接続状態とし、オフのときにスイッチを開放状態とするパルス幅制御回路
を備え、
前記パルス幅制御回路は、前記駆動パルスのパルス幅を、前記出力コンデンサの出力電圧が予め設定された基準電圧より低いとき短くし、前記基準電圧より高いとき長くし、前記駆動パルスをオンとするタイミングを、前記パルス発生回路から入力した同期パルスに同期して、前記全波の電圧信号がピークから下降に転じた位置とすること
を特徴とする無接触給電設備の２次側受電回路。
【請求項２】
前記駆動パルスのパルス幅の中間点を、前記全波の電圧信号のゼロクロス位置とすること
を特徴とする無接触給電設備の２次側受電回路。
【発明の詳細な説明】
【技術分野】
【０００１】
本発明は、無接触給電設備の２次側受電回路に関するものである。
【背景技術】
【０００２】
従来の無接触給電設備の２次側受電回路の一例が、たとえば特許文献１に開示されている。
従来の無接触給電設備の２次側受電回路では、周波数が、例えば１０ｋＨｚの高周波電流を流す１次側誘導線路に対向して、１次側誘導線路より起電力が誘起されるピックアップコイルを設け、このピックアップコイルに並列に、ピックアップコイルとともに１次側誘導線路の周波数に共振する共振回路を形成する共振コンデンサを接続し、この共振回路に整流回路（全波整流回路）を接続し、定電圧制御回路を介して、消費電力が変動する負荷（例えば、自走台車の走行用電動モータを制御するインバータ）へ給電している。
【０００３】
前記定電圧制御回路は、チョークコイルと、ダイオードと、出力コンデンサ（電圧コンデンサ）と、整流回路の出力端間を接続状態（スイッチ手段がオン状態）または開放状態（スイッチ手段がオフ状態）とするスイッチ手段（例えば、出力調整用トランジスタ）から構成され、前記スイッチ手段を制御する制御回路が設けられている。
【０００４】
この制御回路は、出力電圧（負荷の電圧）を計測し、前記走行用電動モータを停止するなどにより負荷が減少して、出力電圧（出力コンデンサの両端電圧）が上昇し、出力電圧が予め設定された基準電圧を超えると、前記スイッチ手段を接続状態として出力電圧を下げ、前記出力電圧が基準電圧に戻るとスイッチ手段を開放状態として、出力電圧を基準電圧に維持する制御を行っている。
【０００５】
以下に、上記２次側受電回路の構成における作用を説明する。
周波数が、例えば１０ｋＨｚの高周波電流が１次側誘導線路に供給されると、この１次側誘導線路に発生する磁束により、ピックアップコイルに誘導起電力が誘起され、この誘導起電力によりピックアップコイルにおいて発生した電流は整流回路で整流され、スイッチ手段が開放状態のとき、定電圧制御回路を介して負荷へ供給される。また負荷が減少して、出力電圧が上昇し、出力電圧が予め設定された基準電圧を超えると、スイッチ手段が接続状態とされ、出力コンデンサの放電電流が負荷へ供給され、出力電圧が下げられ出力電圧は基準電圧に維持される。
【特許文献１】特開平１１−１７８１０４号公報
【発明の開示】
【発明が解決しようとする課題】
【０００６】
しかし、従来の無接触給電設備の２次側受電回路では、全波整流後にチョークコイルに流れる電流（コイル電流）は、チョークコイルの作用により平滑されているが、このチョークコイルの作用だけでは、脈動しリップルが大きな周期で波うつために、ノイズが発生し、また該リップルのストレスにより、コイル電流が流れる素子が発熱し、さらに寿命が短くなるという問題があった。
【０００７】
またスイッチ手段は負荷が減少したことにより接続状態とされ、２次側受電回路が急に１次側誘導線路から切り離された状態（帰還インピーダンスが略ゼロに近い状態）とされることにより、１次側誘導線路の１次側電流が大きく変動して、１次側誘導線路に過電流が発生する恐れがあった。
【０００８】
またスイッチ手段は開放状態とされると、共振回路の共振電圧は、急激に上昇し、必要以上に高圧となることがあり、共振回路を形成するピックアップコイルと共振コンデンサに耐電圧が高い素子、すなわち価格の高い素子を使用する必要があり、コストアップとなっていた。
【０００９】
そこで、本発明は、スイッチ手段の接続状態と開放状態における１次側誘導線路および共振回路の素子への影響を回避できるとともに、コイル電流の脈動およびリップルを減少できる無接触給電設備の２次側受電回路を提供することを目的としたものである。
【課題を解決するための手段】
【００１０】
前述した目的を達成するために、本発明のうち請求項１に記載の発明は、高周波電流を流す１次側誘導線路に対向して前記誘導線路より起電力が誘起されるピックアップコイルと、前記ピックアップコイルに並列に接続され、このピックアップコイルと前記高周波電流の周波数に共振する共振回路を形成する共振コンデンサと、前記共振回路の共振コンデンサに並列に接続される全波整流回路と、前記全波整流回路の一方の出力端子に、一端が接続されるチョークコイルと、前記チョークコイルの他端に、アノードが接続されるダイオードと、前記ダイオードのカソードと前記全波整流回路の他方の出力端子との間に接続され、消費電力が変動する負荷に電力を供給する出力コンデンサと、前記チョークコイルの他端と前記全波整流回路の他方の出力端子との間に接続されるスイッチと、前記スイッチを接続状態または開放状態とするコントローラとを備え、
前記コントローラは、前記全波整流回路の一方の出力端子から出力される全波の電圧信号に同期して、前記高周波電流の周波数の２倍の周波数の同期パルスを出力するパルス発生回路と、前記スイッチヘ駆動パルスを出力し、この駆動パルスがオンのときにスイッチを接続状態とし、オフのときにスイッチを開放状態とするパルス幅制御回路を備え、前記パルス幅制御回路は、前記駆動パルスのパルス幅を、前記出力コンデンサの出力電圧が予め設定された基準電圧より低いとき短くし、前記基準電圧より高いとき長くし、前記駆動パルスをオンとするタイミングを、前記パルス発生回路から入力した同期パルスに同期して、前記全波の電圧信号がピークから下降に転じた位置とすることを特徴とするものである。
【００１１】
上記構成によれば、スイッチ手段は、高周波電流周波数の２倍のスイッチング周波数で高速スイッチングされ、スイッチ手段が開放状態のとき、全波整流回路から出力された電流は、チョークコイルの励磁エネルギーを加えて出力コンデンサへ充電され、同時に負荷へ供給される。またスイッチ手段が接続状態のとき、全波整流回路の出力電圧は全てチョークコイルに印加されてチョークコイルが励磁されてエネルギーが充填される一方、出力コンデンサからは放電電流が負荷へ供給される。
【００１２】
前記スイッチ手段を接続状態とする駆動パルスのパルス幅は、出力コンデンサの出力電圧により求められ、出力電圧が予め設定された基準電圧より低いとき短くされ、基準電圧より高いとき長くされる。すなわち、負荷が減少して、出力コンデンサの出力電圧が上昇し、出力電圧が前記基準電圧を超えると、スイッチ手段が接続状態とされる時間が長くなり、出力電圧が下げられて基準電圧に維持される。また負荷が増加して、出力コンデンサの出力電圧が下降し、出力電圧が前記基準電圧より下がると、スイッチ手段が開放状態とされる時間が長くなり、出力電圧が上げられて基準電圧に維持される。
【００１３】
またスイッチング周波数を高周波電流周波数の２倍とし、駆動パルスのオンのタイミングを、全波整流回路の出力端子から出力される全波の電圧信号（チョークコイルの入力電圧信号）がピークから下降に転じた位置としていることにより、駆動パルスがオン、すなわち整流後の電圧でチョークコイルが励磁されるとき、チョークコイルの印加電圧は下降する局面であることにより、チョークコイルに流れるコイル電流の上昇は抑えられ滑らかになり、脈動が抑えられ、コイル電流のリップルは大きく抑えられ、よってノイズが抑えられ、リップルによるストレスによって発生する、コイル電流が流れる素子の発熱が抑えられ、さらに寿命が短くなることが回避される。
【００１４】
また高周波電流周波数の２倍で高速スイッチングされることにより、負荷の変動に迅速に対応され、負荷の変動が、共振回路を介して１次側誘導線路に及ばす影響、たとえば急に帰還インピーダンスがゼロに近くなることにより１次側誘導線路が過電流となる影響が抑えられる。
【００１５】
また高周波電流周波数の２倍で高速スイッチングされることにより、出力コンデンサの出力電圧に迅速に対応され、共振電圧が急激に上昇することが抑えられる。
また請求項２に記載の発明は、請求項１に記載の発明であって、前記駆動パルスのパルス幅の中間点を、前記全波の電圧信号のゼロクロス位置とすることを特徴とするものである。
【００１６】
上記構成によれば、駆動パルスがオン、すなわち整流後の電圧でチョークコイルが励磁されるとき、駆動パルスのパルス幅の中間点を前記全波の電圧信号のゼロクロス位置とすることにより、チョークコイルに印加される電圧は小さくなり、よってチョークコイルに流れるコイル電流の上昇は抑えられ滑らかになり、脈動が抑えられ、コイル電流のリップルは大きく抑えられる。
【発明の効果】
【００１７】
本発明の無接触給電設備の２次側受電回路は、次の優れた効果を有している。
（１）チョークコイルに流れるコイル電流の脈動を抑えることができ、さらにコイル電流のリップルを大きく抑えることができ、よってノイズの発生を抑えることができ、リップルによるストレスによって発生する、コイル電流が流れる素子の発熱を抑えることができ、さらに寿命が短くなることを回避できる。
【００１８】
（２）１次側誘導線路が過電流となることを抑えることができ、１次側誘導線路は安定して複数の２次側受電回路に給電できる。
（３）共振電圧が急激に上昇することを抑えることができ、共振回路の素子を安価なものにできる。
【発明を実施するための最良の形態】
【００１９】
以下、本発明の実施の形態を図面に基づいて説明する。
図１に、本発明の実施の形態における無接触給電設備の２次側受電回路の回路構成図を示す。
【００２０】
本発明の無接触給電設備の２次側受電回路は、図１に示すように、周波数ｆが、例えば１６ｋＨｚの高周波電流Ｉを流す１次側誘導線路１１に対向して配置され、１次側誘導線路１１より起電力が誘起されるピックアップコイル１２と、このピックアップコイル１２に並列に接続され、ピックアップコイル１２とともに高周波電流Ｉの周波数ｆに共振する共振回路を形成する共振コンデンサ１３と、この共振コンデンサ１３に接続される整流回路（全波整流回路）１４とを備えている。
【００２１】
さらに無接触給電設備の２次側受電回路は、前記整流回路１４のプラス側出力端子（一方の出力端子）１４ａに一端が接続されているチョークコイル１５と、該チョークコイル１５の他端にアノードが接続されているダイオード１６と、一端がダイオード１６のカソードに接続され、他端が整流回路１４のマイナス側出力端子（他方の出力端子）１４ｂに接続されている電圧コンデンサ（出力コンデンサ）１７と、一端が、チョークコイル１５の他端およびダイオード１６のアノードの接続点に接続され、他端が整流回路１４のマイナス側出力端子１４ｂに接続されているスイッチ手段（例えば、出力調整用トランジスタ）１８と、スイッチ手段１８を接続状態（スイッチ手段がオン状態）または開放状態（スイッチ手段がオフ状態）とするコントローラ３１とを備えている。
【００２２】
前記出力コンデンサ１７の両端に接続された回路出力端子２０ａ，２０ｂ間に、消費電力が変動する負荷（例えば、自走台車の走行用電動モータを制御するインバータ）１９が接続される。
【００２３】
また出力電圧（出力コンデンサ１７の両端電圧、負荷１９の電圧）を計測するために、回路出力端子２０ａ，２０ｂ間に、同一抵抗値の２個の抵抗２１Ａ，２１Ｂが直列に接続されている。
【００２４】
前記コントローラ３１には、制御信号として、全波整流回路１４のプラス側出力端子１４ａに出力される整流直後の電圧であるチョークコイル１５の全波の入力電圧（全波の入力電圧信号）Ｖ１が入力され、フィードバック信号として回路の出力電圧（抵抗２１Ａ，２１Ｂによる分圧）Ｖ２が入力され、コントローラ３１は、スイッチ手段１８へ駆動パルスＰ２を出力している。このコントローラ３１は、ゲートパルス発振器（パルス発生回路の一例）３２とＰＷＭモジュール（パルス幅制御回路の一例）３３から構成されている。
【００２５】
ゲートパルス発振器３２は、全波整流回路１４のプラス側出力端子１４ａに出力されるチョークコイル１５の全波の入力電圧Ｖ１に同期して、１次側誘導線路１１の高周波電流の周波数ｆの２倍の周波数（２ｆ）の同期パルス（トリガ）を出力するパルス発生回路であり、図２に示すチョークコイル１５の入力電圧Ｖ１がゼロ電圧となる毎に同期パルスＰ１を形成しスイッチトリガーとしてＰＷＭモジュール３３へ出力している。入力電圧Ｖ１は、全波整流回路１４の出力電圧であるから、周波数２ｆの連続波形となっており、周波数２ｆの同期パルスＰ１が出力される。
【００２６】
また前記ＰＷＭモジュール３３は、スイッチ手段１８へ駆動パルスＰ２を出力し、駆動パルスＰ２がオンのときスイッチ手段１８を接続状態とし、オフのときスイッチ手段１８を開放状態とするパルス幅制御回路であり、図２に示すように、ゲートパルス発振器３２から入力した周波数２ｆの同期パルスＰ１に同期してＰＷＭ基準波（三角波）を形成し、すなわちチョークコイル１５の入力電圧Ｖ１に同期して入力電圧Ｖ１のピークをピーク位置とする三角波を形成し、この三角波と交差する、一定の出力電圧（分圧）Ｖ２の基準電圧（一点鎖線で示す）を予め設定し、チョークコイル１５の入力電圧Ｖ１がピークから下降に転じた位置を、駆動パルスＰ２をオンするタイミングとし、基準電圧より三角波（電圧）が低くなっている時間を駆動パルスＰ２のパルス幅とし、駆動パルスＰ２の中間点を全波の入力電圧Ｖ１のゼロクロス位置としている。また出力電圧（分圧）Ｖ２が前記基準電圧と一致するとき、基準電圧より三角波の電圧が低くなった三角波の時間を、駆動パルスＰ２の基準パルス幅としており、負荷１９が定格負荷のとき、基準パルス幅の駆動パルスＰ２が出力されると、出力電圧（分圧）Ｖ２が基準電圧に維持される。
【００２７】
そして、図２に示すように、出力電圧（分圧）Ｖ２が基準電圧より低いとき駆動パルスＰ２のパルス幅を短くし、図３に示すように、基準電圧より高いとき駆動パルスＰ２のパルス幅を長くしてスイッチ手段１８へ出力するパルス幅制御を実行している。なお、周波数２ｆは、６０ｋＨｚ以下に制限している。
【００２８】
このコントローラ３１により、周波数２ｆの同期パルスＰ１に同期してチョークコイル１５の入力電圧Ｖ１がピークから下降に転じた位置を駆動パルスＰ２のオンのタイミングとし、駆動パルスＰ２のパルス幅の中間点を全波の入力電圧Ｖ１のゼロクロス位置として、スイッチング周波数２ｆで高速スイッチングが実行され、このとき前記走行用電動モータを停止するなどにより負荷１９が減少して、出力電圧Ｖ２が上昇し、出力電圧Ｖ２が予め設定された基準電圧を超えると、前記スイッチ手段１８へ出力する駆動パルスＰ２のパルス幅を長くして（接続状態を長くして）出力電圧Ｖ２を下げ、出力電圧Ｖ２が基準電圧に戻るとスイッチ手段１８へ出力する駆動パルスＰ２のパルス幅を短くして（開放状態を長くして）、出力電圧Ｖ２を基準電圧に維持する。
【００２９】
以下に、上記２次側受電回路の構成における作用を説明する。
周波数ｆ、例えば１６ｋＨｚの高周波電流Ｉが１次側誘導線路１１に供給されると、この１次側誘導線路１１に発生する磁束により、ピックアップコイル１２に誘導起電力が誘起され、この誘導起電力によりピックアップコイル１２において発生した電流は全波整流回路１４で整流される。
【００３０】
そして、スイッチ手段１８は、スイッチング周波数２ｆ（例えば、３２ｋＨｚ、６０ｋＨｚ以下に制限）で高速スイッチングされ、開放状態のとき（駆動パルスＰ２がオフのとき）、全波整流回路１４から出力された電流は、チョークコイル１５の励磁エネルギーを加えて出力コンデンサ１７が充電され、同時に負荷１９へ供給される。またスイッチ手段１８が接続状態のとき（駆動パルスＰ２がオンのとき）、全波整流回路１４から出力された電流によりチョークコイル１５が励磁されてエネルギーが充填される一方、出力コンデンサ１７からは放電電流が負荷１９へ供給される。
【００３１】
前記駆動パルスＰ２のパルス幅はパルスのオンタイミング時の出力電圧Ｖ２により求められ、出力電圧Ｖ２が予め設定された基準電圧より低いとき短くされ、基準電圧より高いとき長くされる。すなわち、負荷１９が減少して、出力コンデンサ１７の両端電圧、すなわち出力電圧Ｖ２が上昇し、出力電圧Ｖ２が前記基準電圧を超えると、スイッチ手段１８が接続状態とされる時間が長くなり、出力電圧Ｖ２が下げられて基準電圧に維持される。また負荷１９が増加して、出力コンデンサ１７の両端電圧、すなわち出力電圧Ｖ２が下降し、出力電圧Ｖ２が前記基準電圧より下がると、スイッチ手段１８が開放状態とされる時間が長くなり、出力電圧Ｖ２が上げられて基準電圧に維持される。
【００３２】
またスイッチング周波数を正確に２ｆとし、駆動パルスＰ２のオンタイミングを、チョークコイル１５の入力電圧Ｖ１がピークから下降に転じた位置としていることにより、駆動パルスＰ２がオン、すなわちチョークコイル１５が励磁されるとき、共振回路によってチョークコイル１５へ供給される電流は、９０゜位相がずれているために、この電流は略ゼロであり、かつこの後、入力電圧Ｖ１は下降し、入力電圧Ｖ１がゼロクロスしている範囲としていることにより、チョークコイル１５に流れる電流（コイル電流）Ｉ１の上昇は抑えられ、滑らかになる（脈動が少なくなる）。またこのように、コイル電流Ｉ１の脈動が少なくなり、チョークコイル１５の入力電圧と出力電圧の差が少なくなることにより、コイル電流Ｉ１のリップルは大きく抑えられる。なお、スイッチング周波数が、２ｆよりずれると、駆動パルスＰ２のオンタイミングが、入力電圧Ｖ１からずれるので、リップルは増えてしまう。
【００３３】
またスイッチング周波数２ｆで高速スイッチングされることにより、負荷１９の変動に迅速に対応され、負荷１９の変動が、共振回路を介して１次側誘導線路１１に及ばす影響、たとえば急に帰還インピーダンスがゼロに近くなることにより１次側誘導線路１１が過電流となる影響が抑えられる。
【００３４】
またスイッチング周波数２ｆで高速スイッチングされることにより、非共振状態から共振状態が遷移するとき、出力電圧Ｖ２に迅速に対応され、共振電圧が急激に上昇することが抑えられる。
【００３５】
また高速スイッチングをし、昇圧トポロジーにより出力電圧を上げよう上げようとするので、ピックアップコイル１２の共振周波数に、１次側誘導線路１１に供給される高周波電流Ｉの周波数ｆとの間でずれが発生しても、給電電力を維持できる。すなわち、給電周波数特性が、従来の場合と比較して改善され、広い周波数のずれの範囲で電力を得ることができ、高周波電流の周波数がずれても安定して電力を供給できる。
【００３６】
以上のように本実施の形態によれば、コイル電流Ｉ１が滑らかとなり脈動を抑えることができ、さらにコイル電流Ｉ１のリップルを大きく抑えることができ、よってノイズの発生を抑えることができ、またコイル電流Ｉ１が流れる素子、すなわちチョークコイル１５、ダイオード１６、スイッチ手段１８、および出力コンデンサ１７がリップルのストレスによって発熱することを抑えることができ、寿命が短くなることを回避することができる。
【００３７】
また１次側誘導線路１１が過電流となる影響が抑えられることにより、１次側誘導線路１１から安定して複数の２次側受電回路へ給電でき、さらに１次側誘導線路１１から給電できる２次側受電回路の数を増すことが可能となる。
【００３８】
また共振電圧が急激に上昇することが抑えられることにより、共振回路を形成するピックアップコイル１２と共振コンデンサ１３の定格（例えば、耐電圧）を抑えることができ、安価な素子とすることができ、コストを低減することができる。
【００３９】
また給電周波数特性が改善されることにより、広い範囲で電力を得ることができ、高周波電流の周波数がずれても安定性をよくすることができる。
また本実施の形態によれば、スイッチ周波数（同期パルスＰ１の周波数）を、６０ｋＨｚ以下とすることにより、スイッチングの際の電力消費を抑えることができ、発熱の増加を抑えることができる。
【００４０】
なお、本実施の形態では、コントローラ３１のＰＷＭモジュール３３は、ゲートパルス発振器３２から入力した周波数２ｆの同期パルスＰ１に同期してＰＷＭ基準波（三角波）を形成しているが、同期パルスＰ１に１つおきに同期して入力電圧Ｖ１の２つの波形で、３つのＰＷＭ基準波（三角波）を形成し、各三角波の立ち上がりを、駆動パルスＰ２をオンするタイミングとすることもできる。このとき、駆動パルスＰ２のスイッチング周波数は、高周波電流周波数ｆの３倍（３ｆ）となり、より高速でスイッチングされる。よって、負荷１９の変動に、より迅速に対応され、負荷１９の変動が、共振回路を介して１次側誘導線路１１に及ばす影響、たとえば急に帰還インピーダンスがゼロに近くなることにより１次側誘導線路１１が過電流となる影響を抑えることができ、さらに非共振状態から共振状態が遷移するとき、出力電圧Ｖ２に、より迅速に対応され、共振電圧が急激に上昇することを抑えることができる。なお、スイッチング周波数は、６０ｋＨｚ以下とする。
【図面の簡単な説明】
【００４１】
【図１】本発明の実施の形態における無接触給電設備の２次側受電回路の回路構成図である。
【図２】同無接触給電設備の２次側受電回路の各部の特性図であり、コンデンサ出力電圧が基準電圧より低いときの駆動パルスの出力を示す。
【図３】同無接触給電設備の２次側受電回路の各部の特性図であり、コンデンサ出力電圧が基準電圧より高いときの駆動パルスの出力を示す。
【符号の説明】
【００４２】
Ｉ    １次側誘導線路の高周波電流（一次側電流）
ｆ    １次側誘導線路の高周波電流の周波数
Ｖ１    入力電圧
Ｖ２    出力電圧
Ｐ１    同期パルス
Ｐ２    駆動パルス
Ｉ１    コイル電流
１１  １次側誘導線路
１２  ピックアップコイル
１３  共振コンデンサ
１４  整流回路（全波整流回路）
１５  チョークコイル
１６  ダイオード
１７  電圧コンデンサ（出力コンデンサ）
１８  スイッチ手段（例えば、出力調整用トランジスタ）
１９  負荷
２１Ａ，２１Ｂ  抵抗
３１  コントローラ
３２  ゲートパルス発振器
３３  ＰＷＭモジュール
【図１】
2010154696.tif 000003
【図２】
2010154696.tif 000004
【図３】
2010154696.tif 000005